【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
カラー画像上の各画素を少なくとも２つのカテゴリに分類するカテゴリ分類手段と、
第１のカテゴリに属する画素を対象として第１の色数を算出する第１の色数算出手段と、
第２のカテゴリに属する画素を対象として第２の色数を算出する第２の色数算出手段と、
これら第１および第２の色数算出手段からの出力にもとづいて前記カラー画像の原稿色種別を判定する原稿色種別判定手段とを備えたことを特徴とする画像処理装置。
【請求項２】
請求項１に記載の画像処理装置において、
前記カテゴリ分類手段は、入力されたカラー画像の二値化処理を含むことを特徴とする画像処理装置。
【請求項３】
請求項１または２のいずれか一項に記載の画像処理装置において、
前記カテゴリ分類手段は、カテゴリの境界部分にあたる画素を分類対象から外す処理を含むことを特徴とする画像処理装置。
【請求項４】
請求項３に記載の画像処理装置において、
前記カテゴリの境界部分にあたる画素は、文字輪郭画素であることを特徴とする画像処理装置。
【請求項５】
請求項１乃至４のいずれか一項に記載の画像処理装置において、
前記原稿色種別判定手段は、前記カラー画像が同系色の濃淡からなる濃淡原稿であるか、もしくは前景と背景それぞれ一色ずつからなる二色原稿であるかを判定する処理を含むことを特徴とする画像処理装置。
【請求項６】
請求項１乃至５のいずれか一項に記載の画像処理装置において、
前記第１の色数算出手段と前記第２の色数算出手段の一方もしくは両方は、前記カラー画像をサブ領域に分割し、各サブ領域において当該カテゴリに属する当該サブ領域内の各画素を対象とした平滑化処理を含むことを特徴とする画像処理装置。
【請求項７】
請求項６に記載の画像処理装置において、
前記サブ領域への分割は、画像の周縁部を除いて行うことを特徴とする画像処理装置。
【請求項８】
入力されたカラー画像上の各画素を少なくとも２つのカテゴリに分類するステップと、
第１のカテゴリに属する画素を対象として第１の色数を算出するステップと、
第２のカテゴリに属する画素を対象として第２の色数を算出するステップと、
これら第１および第２の色数に基づいて、前記カラー画像の原稿色種別を判定するステップとを備えたことを特徴とする画像処理方法。
【請求項９】
請求項８に記載の画像処理方法において、
前記入力されたカラー画像上の各画素を少なくとも２つのカテゴリに分類するステップは、当該カラー画像の二値化処理を含むことを特徴とする画像処理方法。
【請求項１０】
請求項８または９のいずれか一項に記載の画像処理方法において、
前記入力されたカラー画像上の各画素を少なくとも２つのカテゴリに分類するステップは、カテゴリの境界部分にあたる画素を分類対象から外す処理を含むことを特徴とする画像処理方法。
【請求項１１】
請求項１０に記載の画像処理方法において、
前記カテゴリの境界部分にあたる画素は、文字輪郭画素であることを特徴とする画像処理方法。
【請求項１２】
請求項８乃至１１のいずれか一項に記載の画像処理方法において、
前記原稿色種別を判定するステップは、前記カラー画像が同系色の濃淡からなる濃淡原稿であるか、もしくは前景と背景それぞれ一色ずつからなる二色原稿であるかを判定する処理を含むことを特徴とする画像処理方法。
【請求項１３】
請求項８乃至１２のいずれか一項に記載の画像処理方法において、
前記第１の色数を算出するステップと前記第２の色数を算出するステップの一方もしくは両方は、前記カラー画像をサブ領域に分割し、各サブ領域において当該カテゴリに属する当該サブ領域内の各画素を対象とした平滑化処理を含むことを特徴とする画像処理方法。
【請求項１４】
請求項１３に記載の画像処理方法において、
前記サブ領域への分割は、画像の周縁部を除いて行うことを特徴とする画像処理方法。
【請求項１５】
請求項８乃至１４のいずれか一項に記載の各ステップをコンピュータ上で実行することを特徴とする画像処理プログラム。
【手続補正２】
【補正対象書類名】明細書
【補正対象項目名】発明の名称
【補正方法】変更
【補正の内容】
【発明の名称】画像処理装置、画像処理方法および画像処理プログラム
【手続補正３】
【補正対象書類名】明細書
【補正対象項目名】０００１
【補正方法】変更
【補正の内容】
【０００１】
本発明は、画像処理装置、画像処理方法および画像処理プログラムに関し、特に文書画像の圧縮処理に際しての原稿色種別の判定に関する。
【手続補正４】
【補正対象書類名】明細書
【補正対象項目名】０００８
【補正方法】変更
【補正の内容】
【０００８】
本発明は上記の従来の問題点に鑑み提案されたものであり、その目的とするところは、文書画像を、着色紙を用いて印刷された原稿等を含む、広い範囲の二色原稿と、それ以外のカラー原稿とに分類することができ、分類結果に応じた適切な圧縮方法を選択することのできる画像処理装置、画像処理方法および画像処理プログラムを提供することにある。
【手続補正５】
【補正対象書類名】明細書
【補正対象項目名】０００９
【補正方法】変更
【補正の内容】
【０００９】
上記の課題を解決するため、本発明にあっては、請求項１に記載されるように、カラー画像上の各画素を少なくとも２つのカテゴリに分類するカテゴリ分類手段と、第１のカテゴリに属する画素を対象として第１の色数を算出する第１の色数算出手段と、第２のカテゴリに属する画素を対象として第２の色数を算出する第２の色数算出手段と、これら第１および第２の色数算出手段からの出力にもとづいて前記カラー画像の原稿色種別を判定する原稿色種別判定手段とを備える画像処理装置を要旨としている。
【手続補正６】
【補正対象書類名】明細書
【補正対象項目名】００１０
【補正方法】変更
【補正の内容】
【００１０】
また、請求項２に記載されるように、請求項１に記載の画像処理装置において、前記カテゴリ分類手段は、入力されたカラー画像の二値化処理を含むものとすることができる。
【手続補正７】
【補正対象書類名】明細書
【補正対象項目名】００１１
【補正方法】変更
【補正の内容】
【００１１】
また、請求項３に記載されるように、請求項１または２のいずれか一項に記載の画像処理装置において、前記カテゴリ分類手段は、カテゴリの境界部分にあたる画素を分類対象から外す処理を含むものとすることができる。
【手続補正８】
【補正対象書類名】明細書
【補正対象項目名】００１２
【補正方法】変更
【補正の内容】
【００１２】
また、請求項４に記載されるように、請求項３に記載の画像処理装置において、前記カテゴリの境界部分にあたる画素は、文字輪郭画素であるものとすることができる。
【手続補正９】
【補正対象書類名】明細書
【補正対象項目名】００１３
【補正方法】変更
【補正の内容】
【００１３】
また、請求項５に記載されるように、請求項１乃至４のいずれか一項に記載の画像処理装置において、前記原稿色種別判定手段は、前記カラー画像が同系色の濃淡からなる濃淡原稿であるか、もしくは前景と背景それぞれ一色ずつからなる二色原稿であるかを判定する処理を含むものとすることができる。
【手続補正１０】
【補正対象書類名】明細書
【補正対象項目名】００１４
【補正方法】変更
【補正の内容】
【００１４】
また、請求項６に記載されるように、請求項１乃至５のいずれか一項に記載の画像処理装置において、前記第１の色数算出手段と前記第２の色数算出手段の一方もしくは両方は、前記カラー画像をサブ領域に分割し、各サブ領域において当該カテゴリに属する当該サブ領域内の各画素を対象とした平滑化処理を含むものとすることができる。
【手続補正１１】
【補正対象書類名】明細書
【補正対象項目名】００１５
【補正方法】変更
【補正の内容】
【００１５】
また、請求項７に記載されるように、請求項６に記載の画像処理装置において、前記サブ領域への分割は、画像の周縁部を除いて行うものとすることができる。
【手続補正１２】
【補正対象書類名】明細書
【補正対象項目名】００１６
【補正方法】変更
【補正の内容】
【００１６】
また、請求項８に記載されるように、入力されたカラー画像上の各画素を少なくとも２つのカテゴリに分類するステップと、第１のカテゴリに属する画素を対象として第１の色数を算出するステップと、第２のカテゴリに属する画素を対象として第２の色数を算出するステップと、これら第１および第２の色数に基づいて、前記カラー画像の原稿色種別を判定するステップとを備える画像処理方法として構成することができる。
【手続補正１３】
【補正対象書類名】明細書
【補正対象項目名】００１７
【補正方法】変更
【補正の内容】
【００１７】
また、請求項９に記載されるように、請求項８に記載の画像処理方法において、前記入力されたカラー画像上の各画素を少なくとも２つのカテゴリに分類するステップは、当該カラー画像の二値化処理を含むものとすることができる。
【手続補正１４】
【補正対象書類名】明細書
【補正対象項目名】００１８
【補正方法】変更
【補正の内容】
【００１８】
また、請求項１０に記載されるように、請求項８または９のいずれか一項に記載の画像処理方法において、前記入力されたカラー画像上の各画素を少なくとも２つのカテゴリに分類するステップは、カテゴリの境界部分にあたる画素を分類対象から外す処理を含むものとすることができる。
【手続補正１５】
【補正対象書類名】明細書
【補正対象項目名】００１９
【補正方法】変更
【補正の内容】
【００１９】
また、請求項１１に記載されるように、請求項１０に記載の画像処理方法において、前記カテゴリの境界部分にあたる画素は、文字輪郭画素であるものとすることができる。
【手続補正１６】
【補正対象書類名】明細書
【補正対象項目名】００２０
【補正方法】変更
【補正の内容】
【００２０】
また、請求項１２に記載されるように、請求項８乃至１１のいずれか一項に記載の画像処理方法において、前記原稿色種別を判定するステップは、前記カラー画像が同系色の濃淡からなる濃淡原稿であるか、もしくは前景と背景それぞれ一色ずつからなる二色原稿であるかを判定する処理を含むものとすることができる。
【手続補正１７】
【補正対象書類名】明細書
【補正対象項目名】００２１
【補正方法】変更
【補正の内容】
【００２１】
また、請求項１３に記載されるように、請求項８乃至１２のいずれか一項に記載の画像処理方法において、前記第１の色数を算出するステップと前記第２の色数を算出するステップの一方もしくは両方は、前記カラー画像をサブ領域に分割し、各サブ領域において当該カテゴリに属する当該サブ領域内の各画素を対象とした平滑化処理を含むものとすることができる。
【手続補正１８】
【補正対象書類名】明細書
【補正対象項目名】００２２
【補正方法】変更
【補正の内容】
【００２２】
また、請求項１４に記載されるように、請求項１３に記載の画像処理方法において、前記サブ領域への分割は、画像の周縁部を除いて行うものとすることができる。
【手続補正１９】
【補正対象書類名】明細書
【補正対象項目名】００２３
【補正方法】変更
【補正の内容】
【００２３】
また、請求項１５に記載されるように、請求項８乃至１４のいずれか一項に記載の各ステップをコンピュータ上で実行する画像処理プログラムとして構成することができる。
【手続補正２０】
【補正対象書類名】明細書
【補正対象項目名】００２４
【補正方法】変更
【補正の内容】
【００２４】
本発明の画像処理装置、画像処理方法および画像処理プログラムにあっては、着色紙に印刷された原稿等を含む、さまざまな二色原稿の入力に対して、当該入力画像を二色原稿であると判定することができる。更に、原稿色種別に応じた適切な出力画像を構成することで、効率よくデータサイズを削減することができる。